(57)【要約】【課題】パンツ自体の構造を工夫することによって開脚等の動作を行いやすくしたパンツを提供する。【解決手段】パンツ１は、前身頃２と、後身頃３と、股下を通り、かつ前身頃２の内股と後身頃３の内股との間に配置される長尺なマチ布４と、を備えている。そして、前身頃２と、後身頃３と、を両脇において互いに縫い合わせるとともに、マチ布４と、前身頃２の内股および後身頃３の内股と、をそれぞれ縫い合わせることによって、股部にマチが設けられる。そのため、股部にゆとりができ、開脚等の動作を行った際にもパンツが引きつってしまうことがなくなり、開脚等の動作がしやすくなる。【選択図】図１
0003187259.tif 000002
【実用新案登録請求の範囲】
【請求項１】
２つの脚部の各々が脇と内股とを有するとともに、２つの脚部の内股が股下を介して連結されているパンツであって、
当該パンツは、前身頃と、後身頃と、股下を通り、かつ前記前身頃の内股と前記後身頃の内股との間に配置される長尺なマチ布と、を備え、
前記前身頃と、前記後身頃と、を両脇において互いに縫い合わせるとともに、
前記マチ布と、前記前身頃の内股および前記後身頃の内股と、をそれぞれ縫い合わせることによって、股下から少なくとも脚部の上部域にかけてマチを設けたことを特徴とする、
パンツ。
【請求項２】
前記マチ布は、複数の生地を縫い合わせて形成されていることを特徴とする、
請求項１に記載のパンツ。
【考案の詳細な説明】
【技術分野】
【０００１】
本考案は、パンツに関する。ここで「パンツ」とは、ズボンやスラックスの類をいう。
【背景技術】
【０００２】
従来の一般的なパンツは、前身頃と後身頃とを、それぞれ脇部分（アウトシーム）および内股部分（インシーム）で縫い合わせて形成されている。この種のパンツの中で、例えばスーツ用のパンツのように体のラインに沿うようなシルエットで作製されているパンツの場合には、股部分にゆとりがないため、脚を前後または左右に開脚しようとするとパンツが引きつってしまい、開脚等の動作が行い難いという問題がある。
【０００３】
上記のような従来のパンツの動き難さを解消するため、特許文献１（実用新案登録第３１５５７０４号公報）に開示されているスラックス１２では、膝部分１３の内側に、裏地１４との縫製においてポリエステルニット、ナイロンニット、ポリウレタン又はそれらの二種以上を組み合わせた混紡を含む伸縮生地パーツ１５を結合させている。文献１では、上記のような構成とすることで、膝部の皮膚表皮に接触するスラックスの当該部分に伸縮性が付与されているので、大きな動作や屈伸運動などの場面で抵抗感や摩擦によって動きにくい窮屈さを感じさせることなく、肌に馴染んで快適で安心して伸び伸びと活動できるスラックスが提供できた、としている（文献１の段落［００１０］および［００１５］）。
【先行技術文献】
【特許文献】
【０００４】
【特許文献１】実用新案登録第３１５５７０４号公報
【考案の概要】
【考案が解決しようとする課題】
【０００５】
文献１のスラックスは、スラックスの膝部分の内側に結合された伸縮性の生地によって開脚等の動作をしやすくするものである。すなわち、文献１のスラックスでは、伸縮性のある生地を用いることが必須条件となっており、スラックス自体の構造を工夫することによって開脚等の動作をしやすくするものではない。
【０００６】
本考案の目的は、パンツ自体の構造を工夫することによって開脚等の動作を行いやすくしたパンツを提供することにある。
【課題を解決するための手段】
【０００７】
本考案は、２つの脚部の各々が脇と内股とを有するとともに、２つの脚部の内股が股下を介して連結されているパンツであって、当該パンツは、前身頃と、後身頃と、股下を通り、かつ前身頃の内股と後身頃の内股との間に配置される長尺なマチ布と、を備え、前身頃と、後身頃と、を両脇において互いに縫い合わせるとともに、マチ布と、前身頃の内股および後身頃の内股と、をそれぞれ縫い合わせることによって、股下から少なくとも脚部の上部域にかけてマチを設けたことを特徴としている。
【０００８】
好ましくは、マチ布は、複数の生地を縫い合わせて形成されていることを特徴としている。
【考案の効果】
【０００９】
本考案のパンツは、股部にマチが設けられているため股部にゆとりができる。その結果、開脚等の動作を行った際にもパンツが引きつってしまうことがなくなり、開脚等の動作がしやすくなる。さらに、マチ布が複数の生地を縫い合わせて形成されていることにより、マチ布に用いる各パーツの生地の長さは短くて済む。そのため、前身頃や後身頃などを切り出した後の生地の残布をマチ布に有効利用することができ、生地を節約することができる。
【図面の簡単な説明】
【００１０】
【図１】本考案のパンツを斜め前方から見た全体斜視図である。
【図２】図１のパンツの開脚した状態を股下側から見た図である。
【図３】本考案のパンツの他の実施形態を表す図であり、パンツが開脚した状態を股下側から見た図である。
【考案を実施するための形態】
【００１１】
本考案のパンツを図面を参照しながら説明する。
【００１２】
［第一実施形態］
本考案のパンツ１は、図１および図２に示すように、前身頃２と、後身頃３と、マチ布４と、ウエストベルト５と、から構成されている。そして、それらのパーツを縫い合わせることで、２つの脚部がそれぞれ脇６と内股７とを有し、かつ、２つの脚部の内股７が股下を介して連結されたパンツ１が形成される。
【００１３】
具体的には、パンツ１の両脚部の脇６は、前身頃２と後身頃３とを両脇において互いに縫い合わせることで形成されている。また、ウエストベルト５は、前身頃２および後身頃３の上端部に縫い合わされる。
【００１４】
一方、パンツ１の両脚部の内股側は、股下を通り、かつ前身頃２の内股７と後身頃３の内股７との間に配置されているマチ布４と、前身頃２の内股７および後身頃３の内股７とをそれぞれ縫い合わせることで形成されている。本実施形態では、マチ布４は、パンツ１の一方の脚部の裾から股下を通り、他方の脚部の裾へと至る長尺の生地によって構成されており、マチ布４と、前身頃２の内股７および後身頃３の内股７とをそれぞれ縫い合わせることによって、股下から裾にかけてマチ８が形成される。
【００１５】
本実施形態では、この長尺のマチ布４は、単一の生地から構成されるのではなく、複数の生地（本実施形態では、図２に示す３つの布片４ａ、４ｂ、４ｃ）を縫い合わせて構成されている。そして、複数の生地の縫い合わせ部分である切り替え線９は、パンツ１の着用時に、着用者の膝に相当する位置よりも股部側に位置するように設けられている。これにより、パンツ１の着用時に切り替え線９は外部から見え難くなっている。
【００１６】
このように、本考案のパンツ１では、股下を通り、かつ前身頃２の内股７と後身頃３の内股７との間に配置されたマチ布４を、前身頃２の内股７および後身頃３の内股７とそれぞれ縫い合わせることによってパンツ１の股部にマチ８が確保されるため、股部にゆとりができる。その結果、開脚等の動作を行った際にもパンツ１が引きつってしまうことがなくなり、開脚等の動作がしやすくなる。
【００１７】
さらに、マチ布４が複数の生地（布片４ａ、４ｂ、４ｃ）を縫い合わせて形成されていることにより、マチ布４に用いる各パーツの生地の長さは短くて済む。そのため、前身頃２や後身頃３などを切り出した後の生地の残布をマチ布４に有効利用することができ、生地を節約することができる。
【００１８】
なお、上記実施形態では、複数の生地を縫い合わせて形成されたマチ布４を用いているが、複数の生地を縫い合わせるのではなく単一の生地から作製されたマチ布４を用いることも可能である。
【００１９】
［第二実施形態］
図３は、本考案のパンツ１の他の実施形態を表している。本実施形態のパンツ１の基本的な構成は第一実施形態のパンツ１と同じであるが、本実施形態では、菱形形状の単一のマチ布４と、前身頃２の内股７および後身頃３の内股７と、をそれぞれ縫い合わせることによって、股下および両脚部の上部域にのみマチ８が形成される。
【００２０】
本実施形態の場合であっても、パンツ１の股部にマチ８が確保されるため股部にゆとりができる。その結果、開脚等の動作を行った際にもパンツ１が引きつってしまうことがなくなり、開脚等の動作がしやすくなるという効果が得られる。
【００２１】
［その他の構成］
本考案のパンツ１に使用される生地は特に限定されないが、本考案のパンツ１はポリウレタンのような伸縮性のある生地を使用しなくとも開脚等の動作がしやすくなる構造となっているため、例えばウール等から作製された生地のように伸縮性に乏しい生地を用いても開脚等の動作がしやすいパンツを作製することが可能となる。
【００２２】
さらに、本考案のパンツ１は、男性用または女性用といった性別、およびスラックスまたはジーンズといったパンツの種類に関わらず適用できる。また、スーツ用のパンツのように体のラインに沿うようなシルエットで作製されるパンツであっても、そのシルエットを極力崩さず、かつ開脚等の動作がしやすいパンツを作製することが可能である。
【００２３】
本考案は上記実施の形態に限定されるものではなく、その要旨を逸脱しない範囲で適宜変更可能である。
【符号の説明】
【００２４】
１      パンツ
２      前身頃
３      後身頃
４      マチ布
４ａ    マチ布を構成する布片
４ｂ    マチ布を構成する布片
４ｃ    マチ布を構成する布片
５      ウエストベルト
６      脇
７      内股
８      マチ
９      切り替え線
【図１】
0003187259.tif 000003
【図２】
0003187259.tif 000004
【図３】
0003187259.tif 000005